(57)【特許請求の範囲】
【請求項１】
真空掃除機のための用具であって、
前記用具が、ノズル及び毛組立体を備え、
前記ノズルの基部には、細長い吸引開口部が形成されており、
前記毛組立体が、前記ノズル内に備え付けられ、一片の毛を取り付ける支持体を備え、
前記支持体が、前記ノズルに対して回動しまたは曲がり、前記毛の両側に位置する一対の翼部を備え、
前記毛が、前記翼部を用いて当該毛が前記吸引開口部内へ引き込まれることを防止するように前記翼部それぞれの幅以下の距離だけ前記支持体を超えて突出することを特徴とする用具。
【請求項２】
前記吸引開口部が、第１縁部及び第２縁部によってその長さに沿って区画されており、
前記翼部が、前記毛から前記第１縁部及び前記第２縁部に向けて外側へ延在し、
前記支持体が、当該用具を前方に掃くと一方の前記翼部が前記第１縁部に接触すると共に当該用具を清掃面にわたって後方に掃くと他方の前記翼部が前記第２縁部に接触するように、回動するまたは曲がることを特徴とする請求項１に記載の用具。
【請求項３】
前記基部が、前記ノズルの長手方向の両端部において下方に向けて突となるように湾曲することを特徴とする請求項１または２に記載の用具。
【請求項４】
前記ノズルの前部には、さらなる吸引開口部が形成されていることを特徴とする請求項１から３のいずれか１項に記載の用具。
【請求項５】
前記毛が、前記さらなる吸引開口部を通って突出することを特徴とする請求項４に記載の用具。
【請求項６】
前記翼部それぞれが、当該翼部の先端から上方に延在する小翼部を有することを特徴とする請求項１から５のいずれか１項に記載の用具。
【請求項７】
前記ノズルの前記基部には、前記吸引開口部の少なくとも一部を囲むように保護パッドが固定されていることを特徴とする請求項１から６のいずれか１項に記載の用具。
【請求項８】
前記翼部それぞれの基部には、保護パッドが固定されていることを特徴とする請求項１から７のいずれか１項に記載の用具。
【請求項９】
前記毛が、カーボン繊維で形成されていることを特徴とする請求項１から８のいずれか１項に記載の用具。
【請求項１０】
真空掃除機のための用具であって、
当該用具が、ノズル及び毛組立体を備え、
前記ノズルの基部には、細長い吸引開口部が形成されており、
前記吸引開口部が、第１縁部及び第２縁部によってその長さに沿って区画されており、
前記毛組立体が、前記ノズル内に備え付けられ、一片の毛を取り付ける支持体を備え、
前記支持体が、前記毛の両側に位置する一対の翼部を備え、
前記翼部が、前記毛から前記第１縁部及び前記第２縁部に向けて外側へ延在し、
前記支持体が、当該用具を前方に掃くと一方の前記翼部が前記第１縁部に接触すると共に当該用具を清掃面にわたって後方に掃くと他方の前記翼部が前記第２縁部に接触するように、前記ノズルに対して回動するまたは曲がることを特徴とする用具。
【請求項１１】
前記基部が、前記ノズルの長手方向の両端部において下方に向けて突となるように湾曲することを特徴とする請求項１０に記載の用具。
【請求項１２】
前記ノズルの前部には、さらなる吸引開口部が形成されていることを特徴とする請求項１０または１１に記載の用具。
【請求項１３】
前記翼部それぞれが、当該翼部の先端から上方に延在する小翼部を有することを特徴とする請求項１０から１２のいずれか１項に記載の用具。
【請求項１４】
前記ノズル及び前記翼部の少なくとも一方の基部には、保護パッドが固定されていることを特徴とする請求項１０から１３のいずれか１項に記載の用具。
【請求項１５】
前記毛が、カーボン繊維で形成されていることを特徴とする請求項１０から１４のいずれか１項に記載の用具。
【発明の詳細な説明】
【技術分野】
【０００１】
本発明は、真空掃除機のための用具に関する。
【背景技術】
【０００２】
図１及び図２は、既知のタイプの真空掃除機用具１を示す。用具１は、細長い吸引開口部３を有するノズル２と、吸引開口部３を通って突出する細長い毛４と、を備える。用具１は、吸引開口部３に垂直な方向で側方から横に掃かれることを意図している。用具１を前方に掃くと、毛４は、後方へ曲がり、ノズル２の後縁部に接触する。したがって、吸引開口部３は、進行方向にかかわらず、毛４の前方に位置する。
【発明の概要】
【発明が解決しようとする課題】
【０００３】
用具１の問題点は、毛４がノズル２内へ引き込まれることを避けるために、毛４が比較的剛性を有しなければならないことである。剛性のある毛の欠点は、毛が清掃面に跡を付けやすくなることである。
【課題を解決するための手段】
【０００４】
本発明は、真空掃除機のための用具を提供し、この用具は、ノズル及び毛組立体を備え、ノズルの基部には、細長い吸引開口部が形成されており、毛組立体は、ノズル内に備え付けられ、一片の毛を取り付ける支持体を備え、支持体は、ノズルに対して回動しまたは曲がり、毛の両側に位置する一対の翼部を備え、毛は、翼部それぞれの幅以下の距離だけ支持体を超えて突出する。
【０００５】
したがって、支持体を超えて突出する毛は、翼部の幅よりも小さい長さを有する。その結果、毛は、吸引開口部内へ引き込まれることが不可能である。特に、翼部は、毛を吸引開口部内へ引き込むことを防止する。その結果、比較的細く軟らかい毛を使用してもよい。回動するまたは曲がる支持体に毛を取り付けることによって、毛は、小さい角度にわたって曲がる必要がある。したがって、毛は、小さい応力にさらされ、このため、毛の寿命を改善する。また、毛は、それらの形状をより保持できる。
【０００６】
吸引開口部は、第１縁部及び第２縁部によってその長さに沿って区画されており、翼部が、毛から第１縁部及び第２縁部に向けて外側へ延在してもよい。支持体は、用具を前方に掃くと一方の翼部が第１縁部に接触すると共に用具を清掃面にわたって後方に掃くと他方の翼部が第２縁部に接触するように、回動するまたは曲がる。用具を前方及び後方に掃くにしたがってノズルの２つの縁部のうちの一方を接触させることによって、支持体は、ノズルに当接して有効なシールを形成する。その結果、用具の収集性能は、支持体を設けることによっては落とされない。
【０００７】
基部は、ノズルの前部において及び後部において湾曲する。これは、用具を前方及び後方に掃くと用具が清掃面上を滑らかに揺動するという利点を有する。
【０００８】
ノズルの前部には、さらなる吸引開口部が形成されている。その結果、用具は、清掃面の縁に沿って及び隅においてゴミをより収集できる。毛は、さらなる開口部を通って突出する。これは、２つの利点を有する。第１は、一片の毛の長さ、ひいては範囲を増大させる。第２に、毛は、清掃面の縁及び隅により侵入でき、そのため、引っ掛かっているゴミを掻き回す。
【０００９】
各翼部は、翼部の先端から上方に延在する小翼部を有する。小翼部は、吸引開口部を通って引き込まれる気流をまっすぐにすることを補助し、これにより、乱気流を低減する。その結果、気流が用具を通して引き込まれるにしたがって気流によって発生するノイズが小さくなる。
【００１０】
ノズルの基部には、吸引開口部の少なくとも一部を囲むように保護パッドが固定されている。さらにまたはあるいは、保護パッドは、各翼部に固定されている。保護パッドは、ノズルもしくは支持体よりも軟らかいかつ／またはノズルもしくは支持体よりも低い摩擦係数を有する。これは、用具が清掃面に跡を付けにくい及び／または清掃面上で用具を滑らかに掃くという利点を有する。
【００１１】
毛は、カーボン繊維で形成されている。一片の毛は、清掃面上で用具を掃いているときにゴミの筋が後方に残らないという利点を有する。カーボン繊維は、少なくとも２つの利点を有する。第１に、カーボン繊維は、比較的軟らかく細い毛を使用することを可能とし、これは、清掃面に跡を付けることを低減することを補助する。第２に、カーボン繊維は、良好な帯電防止特性を有し、これは、面を帯電させることなく清掃面上で毛を掃けることを意味する。一方、ナイロン毛は、清掃面を帯電させる傾向があり、その結果生じる静電気は、ゴミを引き付ける機能を果たす。
【００１２】
本発明は、同様に、真空掃除機のための用具を提供し、用具は、ノズル及び毛組立体を備え、ノズルの基部には、細長い吸引開口部が形成されており、吸引開口部は、第１縁部及び第２縁部によってその長さに沿って区画されており、毛組立体は、ノズル内に備え付けられ、一片の毛を取り付ける支持体を備え、支持体は、毛の両側に位置する一対の翼部を備え、翼部は、毛から第１縁部及び第２縁部に向けて外側へ延在し、支持体は、用具を前方に掃くと一方の翼部が第１縁部に接触すると共に用具を清掃面にわたって後方に掃くと他方の翼部が第２縁部に接触するように、ノズルに対して回動するまたは曲がる。
【００１３】
回動するまたは曲がる支持体に毛を取り付けることによって、毛は、小さい角度にわたって曲がる必要がある。したがって、毛は、小さい応力にさらされ、このため、毛の寿命を改善する。また、毛は、それらの形状をより保持できる。翼部は、同様に、毛を吸引開口部内へ引き込むことを防止する。用具を前方及び後方に掃くにしたがってノズルの２つの縁部のうちの一方を接触させることによって、支持体は、ノズルに当接して有効なシールを形成する。その結果、用具の収集性能は、支持体を設けることによっては落とされない。
【００１４】
本発明をより迅速に理解するため、添付の図面を参照しながら、例として、本発明の実施形態を説明する。
【図面の簡単な説明】
【００１５】
【図１】既知のタイプの真空掃除機用具を示す側面図である。
【図２】図１の用具を通る断面図であって、平面Ａ−Ａで取った断面図である。
【図３】第１真空掃除機用具を示す斜視図である。
【図４】図３の用具を示す側面図である。
【図５】図３の用具を示す下面図である。
【図６】図３の用具を通る断面図であって、図５に示す平面Ｃ−Ｃで取った断面図である。
【図７】図３の用具を通る断面図であって、図５に示す平面Ｂ−Ｂで取った断面図である。
【図８】用具を表面にわたって掃いているときの図３の用具を通る断面図であって、平面Ｂ−Ｂで取った断面図である。
【図９】第２真空掃除機用具を示す斜視図である。
【図１０】図９の用具を示す側面図である。
【図１１】図９の用具を示す下面図である。
【図１２】図９の用具を通る断面図であって、図１１に示す平面Ｅ−Ｅで取った断面図である。
【図１３】図９の用具を通る断面図であって、図１０に示す平面Ｄ−Ｄで取った断面図である。
【図１４】用具を表面にわたって掃いているときの図９の用具を通る断面図であって、平面Ｄ−Ｄで取った断面図である。
【図１５】第３真空掃除機用具を示す斜視図である。
【図１６】図１５の用具を示す側面図である。
【図１７】図１５の用具を示す下面図である。
【図１８】図１５の用具を通る断面図であって、図１７に示す平面Ｇ−Ｇで取った断面図である。
【図１９】図１５の用具を示す分解図である。
【図２０】図１５の用具を通る断面図であって、図１６に示す平面Ｆ−Ｆで取った断面図である。
【図２１】用具を表面にわたって掃いているときの図１５の用具を通る断面図であって、平面Ｆ−Ｆで取った断面図である。
【発明を実施するための形態】
【００１６】
図３から図８の真空掃除機用具１０は、ノズル１１と、接続導管１２と、毛組立体１３と、を備える。
【００１７】
ノズル１１は、比較的狭い構造体であり、ノズル１１の幅は、ノズル１１の長さよりもかなり小さい。ノズル１１の高さは、ノズル１１の後部１６から前部１５に向けて漸減し（すなわち、徐々に低減し）、この利点を後述する。ノズル１１は、吸引開口部２０を備え、この開口部は、ノズル１１内の内部キャビティ２１内へ開口する。吸引開口部２０は、ノズル１１の基部に位置し、ノズル１１の前部１５から後部１６まで中央に延在する。吸引開口部２０は、ノズル１１の２つの縁部２２、２３によってその長さに沿って区画されている。各縁部２２、２３は、ノズル１１の前部１５及び後部１６の下端部１７、１８に対して上昇している。したがって、ノズル１１の基部を清掃面４０に接触させると、縁部２２、２３それぞれと清掃面４０との間には、間隙２５が形成される。同様に、この利点を後述する。
【００１８】
接続導管１２は、ノズル１１の後部１６に取り付けられており、キャビティ２１と、ひいてはノズル１１の吸引開口部２０と流体連通している。接続導管１２は、真空掃除機（図示略）のホース、ワンドなどに接続されることを意図している。使用中、真空掃除機は、接続導管１２に吸引力を発生させ、吸引開口部２０を通って空気を引き込ませる。
【００１９】
毛組立体１３は、形状がほぼ平面であり、細長い毛３１及び背部３２を取り付ける支持体３０を備える。
【００２０】
支持体３０は、ゴムなどの可撓性材料で形成されている。支持体３０の底部は、支持体３０の後部から前部への方向で頂部に対して上昇している。その結果、支持体３０の高さは、支持体３０の後部３７から前部３６に向けて漸減する（すなわち徐々に低減する）。
【００２１】
毛３１は、カーボン繊維で形成されており、支持体３０の底部を超えて延在する。毛３１は、支持体３０が毛３１の上端部を覆うように成形することによって支持体３０に取り付けられている。しかし、毛３１は、他の手段によって支持体３０に取り付けられてもよい。毛３１の長さは、支持体３０の前部から後部まで漸減する（すなわち徐々に低減する）。したがって、支持体３０の後部における毛３１の長さは、前部における毛の長さよりも短い。
【００２２】
背部３２は、硬質プラスチックなど硬質材料で形成されており、支持体３０の頂部に沿って取り付けられている。背部３２は、支持体３０のための構造的支持を形成し、また、毛組立体１３をノズル１１に取り付けるための手段を形成する。
【００２３】
毛組立体１３は、ノズル１１のキャビティ２１内に備え付けられており、それにより、支持体３０及び毛３１は、吸引開口部２０を通って突出する。より具体的には、ノズル１１の前部１５及び後部１６それぞれは、背部３２の端部を固定する凹所を有する。毛組立体１３は、キャビティ２１内に備え付けられており、それにより、支持体３０の背の高い部分とより短い毛３１とは、吸引開口部２０の後部に位置する。
【００２４】
用具１０は、吸引開口部２０に垂直な方向で清掃面４０にわたって掃かれる。用具１０を前方に掃くと、毛組立体１３は、後方へ曲がる。そして、吸引開口部２０は、全体として、毛３１の前方に位置する。毛３１は、清掃面４０によって部分的にシールを形成し、これは、その後、毛３１の前方で発生する吸引力を改善する。用具１０を清掃面４０にわたって掃くと、毛３１の前方で発生した吸引力は、吸引開口部２０を通してゴミをノズル１１のキャビティ２１内へ引き込ませる。その後、ゴミは、接続導管１２を介して真空掃除機へ搬送される。毛３１は、ノズル１１内へ引き込まれていないゴミの大部分を収集する機能を果たす。そして、毛３１は、ゴミをノズル１１内へ引き込むような時間まで、例えば用具１０を清掃面４０から持ち上げるときまたは用具１０の進行方向を反転させたときまで、ゴミを保持する。
【００２５】
用具１０を清掃面４０にわたって掃くと、ノズル１１の前部１５及び後部１６は、清掃面４０と接触する。吸引開口部２０の長さを区画する２つの縁部２２、２３のうち、一方は、ノズル１１の前縁部２２を規定し、他方は、後縁部２３を規定する。２つの縁部２２、２３をノズル１１の前部１５及び後部１６に対して上昇させているので、ノズルの前縁部２２と清掃面４０との間には、間隙２５が形成される。この間隙２５は、用具１０を清掃面４０にわたって掃くとゴミが前縁部２２の下方を通過することを確実にする。これにより、用具１０は、ゴミを清掃面４０にわたって押さない。使用中、ユーザは、主として、進行方向で用具１０を傾け、それにより、図８に示すように、ノズル１１と清掃面４０との間には、鋭角が形成される。ノズル１１を傾ける結果として、前縁部２２は、清掃面４０に近づく。それにもかかわらず、前縁部２２と清掃面４０との間の間隙２５は、維持される。用具１０を前方へさらに傾けると、前縁部２２と清掃面４０との間の間隙２５は、減少する。最終的に、十分に傾けることによって、前縁部２２は、清掃面４０に接触することがある。この段階になって、ノズル１１は、その後、ゴミを清掃面４０に沿って押し始める。この問題は、ノズル１１の縁部２２、２３をさらに上昇させて前縁部２２と清掃面４０との間により長い公称間隙２５を形成することによって、軽減される。しかしながら、より長い間隙２５は、より多くの空気を清掃面４０におけるよりも清掃面４０の上方の領域から引き込みやすくなるという欠点を有し、したがって、収集性能に不利に影響する。したがって、縁部２２、２３は、所定量だけ上昇させ、この所定量は、比較的小さい間隙２５を維持するための必要性と用具１０を使用する可能性のある角度範囲にわたって間隙２５を維持する必要性とを釣り合わせようとする。
【００２６】
背部３２は、支持体３０の頂部３５に沿って構造的支持を形成する。そして、これは、用具１０の使用中に、例えばノズル１１内で発生させた吸引力の結果として、または用具１０を非平行な表面にわたって掃くときに、支持体３０が上方へ曲がることを防止することを補助する。
【００２７】
細長い毛３１を採用することにより、用具１０を清掃面４０にわたって掃いているときにゴミの筋が後方に残らないという利点がある。カーボン繊維を選択することには、少なくとも２つの利点がある。１つ目は、カーボン繊維は、比較的軟らかく細い毛３１を使用することを可能とし、そして、清掃面４０に跡をつけることを低減することを補助する。２つ目は、カーボン繊維は、良好な帯電防止特性を有する。したがって、毛３１を清掃面４０にわたって掃いても、毛３１は、清掃面４０を帯電させない。一方、ナイロンの毛は、清掃面を帯電させる傾向があり、そして、結果として生じる静電気は、ゴミを清掃面に引き付ける機能を果たす。
【００２８】
有利ではあるが、軟らかく細い毛には、困難性がないのではない。特に、このような毛を図１及び図２の用具１に採用する場合、吸引開口部３で生ずる吸引力は、毛４をノズル２内に引き込みやすい。図３から図８の用具１０は、これが発生することを防止することを補助するいくつかの機能を有する。
【００２９】
第１に、毛３１の長さは、吸引開口部２０の前部から後部に向けて漸減する。したがって、吸引開口部２０の後部における毛３１は、前部における毛よりも短い。より長い毛は、毛がより可撓性を有し、したがって清掃面４０に跡をつけにくいという利点を有する。さらに、より長い毛は、歪な表面にも侵入することがより可能であり、このため、収集性能を改善する。したがって、吸引開口部２０の全長に沿ってより長い毛を採用することは有利である。しかしながら、より長い毛を吸引開口部２０の全長にそって採用すると、吸引開口部２０の後部における毛３１は、ノズル１１内に引き込まれることがある。これは、吸引開口部２０で生じた吸引力が、一般的に、接続導管１２の位置に起因して、吸引開口部２０の後部で最大であるためである。吸引開口部２０の後部においてより短い毛３１を採用することによって、毛３１は、より硬質となり、このため、ノズル１１内へ引き込まれにくい。反対に、吸引開口部２０の前部においてより長い毛３１を採用することによって、毛３１は、歪な表面に進入することがより可能となり、このため、収集を改善する。吸引開口部２０における吸引力は、主として、吸引開口部２０の長さに沿って減少する。したがって、吸引開口部２０の長さに沿って長さが漸減する毛３１を有することによって、比較的良好な収集を達成しつつ、毛３１がノズル１１内へ引き込まれることを防止するのに十分な長さであることを確実にする。
【００３０】
第２に、毛３１は、毛３１の支持を形成する支持体３０に取り付けられている。さらに、支持体３０は、吸引開口部２０を超えて突出している。毛組立体１３が受ける吸引力は、有効容積が急激に大きくなるため、吸引開口部２０を超えた直後で著しく減少する。支持体３０が吸引開口部２０を越えて突出するので、毛３１が受ける吸引力は、大きく低減され、このため、比較的軟らかく細い毛を使用してもよい。一方、図１及び図２の用具１では、毛４は、支持されておらず、吸引開口部３を通ってノズル２のキャビティ内へ延在している。その結果、毛４は、高レベルの吸引力を受け、このため、毛４がノズル１１に引き込まれないことを確実にするため、硬い毛４を使用しなければならない。支持体３０は、均一な高さでないが、その替わりに、吸引開口部２０の後部においてより高くなっている。上記段落で記載した通り、吸引開口部２０で生じた吸引力は、一般的に、吸引開口部２０の後部において最大である。吸引開口部２０の後部においてより高い支持体３０を採用することによって、支持体３０は、さらなる剛性及び支持を毛３１のうち最も必要な場所に付与する。
【００３１】
第３に、ノズル１１の高さは、ノズル１１の後部１６から前部１５に向けて漸減する。ノズル１１が均一の高さであると、吸引開口部２０で生じる吸引力は、吸引開口部２０の前部におけるよりも後部においてより大きくなる。これは、接続導管１２がノズル１１の後側に位置するためである。吸引開口部２０の後部において吸引力が増大することにより、毛３１は、ノズル１１内へ引き込ませられる。したがって、吸引開口部２０の前部における吸引力ひいては収集性能は、低くなる。ノズル１１の高さを漸減させることによって、ノズル１１内のキャビティ２１の容積もノズル１１の後部１６から前部１５に向けて漸減する。したがって、より大きい開口容積を吸引開口部２０の後部においてノズル１１内に形成し、より小さい開口容積を吸引開口部２０の前部に形成する。このため、吸引力は、吸引開口部２０の長さに沿ってより釣り合いが取れる。その結果、より軟らかくより細い毛を吸引開口部２０の後部で使用してもよく、吸引開口部２０の前部における収集性能を改善する。
【００３２】
支持体３０は、可撓性材料で形成されており、用具１０を清掃面４０にわたって掃くと、ノズル１１に対して曲がる。その結果、毛３１は、より小さい角度で曲がる必要がある。したがって、毛３１が受ける応力は、より小さく、毛３１の寿命を改善する。さらに、毛３１は、それらの形状を維持することがより可能になる。反対に、図１及び図２の用具１の毛４は、より高い曲げ応力を受ける。可撓性を有する支持体３０を採用するよりもむしろ、毛組立体１３は、硬質材料で形成された支持体を備えてもよい。毛組立体１３は、ノズル１１に回動可能に取り付けられてもよく、バネ機構を使用して、用具１０を清掃面４０から持ち上げたときに支持体が中心位置に復帰することを確実にしてもよい。それにもかかわらず、可撓性を有する支持体３０は、支持体３０自体によって弾性力が付与されるという利点を有する。その結果、バネ負荷式回動を除いてもよく、これにより、コストを低減する、かつ／または、用具１０の組立を単純化する。
【００３３】
支持体３０は、所定量だけ吸引開口部２０を超えて突出し、この所定量は、毛組立体１３を後方へ掃くと（例えば用具１０を前方に掃いている間に）、支持体３０が後縁部２３に接触することを確実にする。より具体的には、支持体３０は、支持体３０の全長に沿って後縁部２３と接触する。後縁部２３と接触することによって、支持体３０は、さもなければ毛３１と形成するよりもノズル１１の後縁部２３に対して良好なシールを形成する。したがって、用具１０の後縁側を通って引き込まれる空気が少なくなり、より大きい吸引力を毛３１の前方で生じさせ、これにより、収集を改善する。
【００３４】
図９から図１４は、上述したかつ図３から図８で示した真空掃除機用具と多くの点で同様である別の真空掃除機用具５０を示す。特に、用具５０は、ノズル５１、接続導管５２及び毛組立体５３を備える。
【００３５】
ノズル５１は、図３から図８のノズルと若干異なる。図３から図８のノズル１１は、ほぼ矩形の横断面を有する。反対に、図９から図１４のノズル５１の横断面形状は、ほぼ三角形である。したがって、ノズル５１の形状は、細長い三角柱とされる。図３から図８のノズル１１の幅は、ノズル１１の長さに沿って一定であるが、ノズル１１の高さは、ノズル１１の後部１６から前部１５に向けて漸減する。反対に、図９から図１４のノズル５１の高さは、一定であり、ノズル５１の幅は、ノズル５１の後部５６から前部５５に向けて漸減する（すなわち徐々に低減する）。
【００３６】
ノズル５１は、図３から図８のノズルと同様に、ノズル５１内の内部キャビティ６１内へ開口する吸引開口部６０を備える。吸引開口部６０は、同様に、ノズル５１の基部に位置し、ノズル５１の前部５５から後部５６まで中心に延在する。図３から図８のノズル１１とは対照的に、吸引開口部６０は、一定の幅ではない。その替わり、吸引開口部６０の幅は、吸引開口部６０の後部から前部に向けて漸減し（すなわち徐々に低減し）、この利点を後述する。吸引開口部６０は、同様に、ノズル５１の２つの縁部６２、６３によって吸引開口部の長さに沿って区画されており、これら縁部は、ノズル５１の前部５５及び後部５６に対して上昇している。したがって、ノズル５１の基部を清掃面４０と接触させると、前縁部６２と清掃面４０との間には、間隙６５が形成されている。ノズル５１の前部５５及び後部５６の下端部５７、５８は、湾曲している。さらに、下端部５７、５８それぞれは、房状布地で形成された保護パッド６８で被覆されており、これらの利点を後述する。
【００３７】
接続導管５２は、図３から図８の接続導管から基本的には変更されていない。特に、接続導管５２は、ノズル５１の後部５６に取り付けられており、真空掃除機（同様に図示略）のホース、ワンドなどに取り付けることを意図している。
【００３８】
毛組立体５３は、同様に、形状でほぼ平面であり、一片の毛７１が取り付けられた支持体７０を備える。
【００３９】
支持体７０は、ゴムなどの可撓性材料で形成されており、支持体７０の底部は、支持体７０の後部から前部への方向で頂部に対して上昇している。その結果、支持体７０の高さは、同様に、支持体７０の後部から前部に向けて漸減する。図３から図８の支持体３０とは対照的に、支持体７０は、支持体７０の後部に向けて位置する一対の貫通孔７８、７９を備える。貫通孔７８、７９は、異なるサイズを有しており、支持体７０の後部に最も近接する貫通孔７８は、より大きい。
【００４０】
毛７１は、同様に、カーボン繊維で形成されており、支持体７０の底部を超えて延在する。しかしながら、図３から図８の毛３１とは異なり、毛７１の長さは、漸減しない。その替わり、毛７１の長さは、支持体７０の後部から前部に向けて一定である。
【００４１】
毛組立体５３は、ノズル５１のキャビティ６１内に備え付けられており、それにより、支持体７０及び毛７１は、吸引開口部６０を通って突出する。ノズル１１の前部１５及び後部１６に取り付けられた図３から図８の毛組立体１３とは対照的に、図９から図１４の毛組立体５３は、ノズル５１の頂部５９に取り付けられている。特に、支持体７０の頂部は、ノズル５１の頂部５９に沿って形成された溝部６９内に（例えば接着剤を用いて）固定されている。図３から図８の毛組立体１３は、支持体３０の頂部３５に沿って構造的支持を形成する背部３２を有する。図９から図１４の毛組立体５３をノズル５１の頂部５９に沿って取り付けているので、背部を省略し、ノズル５１の頂部５９は、必要な支持を形成する。そうは言っても、背部を採用することに利点はある。例えば、毛組立体５３は、ノズル５１の頂部５９にある溝部内へスナップ係合する背部を備えてもよい。そして、これは、用具５０の組立を単純化するという潜在的な利点を有する。特に、接着剤を使用して毛組立体５３をノズル５１に固定することを回避する。
【００４２】
図３から図８の用具１０において、毛組立体１３は、所定量だけ吸引開口部２０を超えて突出し、この所定量は、吸引開口部２０の長さに沿って一定である。対照的に、図９から図１４の用具５０において、毛組立体５３が吸引開口部６０を超えて突出する量は、吸引開口部６０の後部から前部に向けて漸減する（すなわち徐々に低減する）。したがって、毛組立体５３が吸引開口部６０を超えて突出する量は、吸引開口部６０の後部において吸引開口部６０の前部においてよりも大きい。
【００４３】
図９から図１４の用具５０は、図３から図８の用具１０に関して上述したものと全く同一方法で使用することを意図している。特に、用具５０は、吸引開口部６０に垂直な方向で清掃面４０にわたって掃かれることを意図している。用具５０を前方に掃くと、毛組立体５３は、後方へ曲がり、それにより、吸引開口部６０は、全体的に毛７１の前方に位置する。毛組立体５３は、清掃面４０にそしてノズル５１の後縁部６３に接触し、それにより、吸引開口部６０の後方にシールを形成する。
【００４４】
用具５０を清掃面４０にわたって掃くと、ノズル５１の前部５５及び後部５６は、清掃面４０と接触する。ノズル５１の前縁部６２及び後縁部６３が前部５５及び後部５６に対して上昇しているので、前縁部６２と清掃面４０との間には、間隙６５が形成され、このため、ゴミは、前縁部６２の下方を自由に通過する。
【００４５】
用具５０と清掃面４０との間に形成される角度は、用具５０を清掃面４０にわたって掃くと、主として変化する。例えば、ユーザは、清掃面４０に対して鋭角にある用具５０から開始することがある。用具５０を清掃面４０にわたって掃くにしたがって、用具５０は、徐々に真っ直ぐになり、鈍角で終了するかもしれない。ノズル５１のうち清掃面４０に接触する下端部５７、５８は、湾曲する。そして、これにより、用具５０の角度が変化するにしたがって、ノズル５１の下端部５７、５８が清掃面４０にわたって揺動し、それにより、円滑な移行をもたらすという利点がある。さらに、ノズル５１の下端部５７、５８それぞれは、保護パッド６８で被覆されている。これは、２つの利点を有する。第１に、パッド６８は、ノズル５１の摩擦係数よりも低い摩擦係数を有し、そのため、用具５０は、清掃面４０にわたってより低い労力でより滑らかに掃かれる。第２に、パッド６８は、ノズル５１よりも軟らかく、そのため、用具５０は、清掃面４０に跡をよりつけにくくなる。本実施形態において、パッド６８それぞれは、房状布地で形成されている。しかしながら、パッド６８は、同様に別の材料で形成されてもよく、この材料は、より軟らかく、ノズル５１の摩擦係数よりも低い摩擦係数を有する。例のみとして、パッド６８は、フェルト布地、ＰＴＦＥなどの低摩擦被覆を有してもよい弾性発泡体、または、非常に短く細い毛、で形成されてもよい。
【００４６】
図３から図８の用具１０と同様に、図９から図１４の用具５０は、毛７１をノズル５１に引き込むことを防止することを補助するいくつかの機能を有する。
【００４７】
第１に、毛７１は、同様に、支持体７０に取り付けられており、この支持体は、毛７１のための支持を形成する。図３から図８の用具１０と同様に、接続導管５２は、ノズル５１の後部５６に取り付けられており、このため、吸引力は、一般的に、吸引開口部６０の後部において最大になる。支持体７０は、同様に、吸引開口部６０の後部においてより高い。その結果、支持体７０は、毛７１のうち最も必要な部分にさらなる剛性及び支持をもたらす。支持体７０は、同様に、吸引開口部６０を超えて突出し、このため、毛７１が受ける吸引力は、非常に低減される。
【００４８】
第２に、吸引開口部６０の幅は、吸引開口部６０の後部から前部に向けて漸減する。吸引開口部６０の幅が均一である場合、吸引開口部６０の後部における吸引力は、吸引開口部６０の前部における吸引力よりも著しく高い。後部における高いレベルの吸引力は、毛７１をノズル５１内へ引き込ませる。後部で広く前部で狭い吸引開口部６０を採用することにより、吸引開口部６０の長さに沿う吸引力は、より釣り合いが取れる。特に、吸引開口部６０の後部における吸引力を低減し、そのため、毛７１をノズル５１内へ引き込むことを防止し、一方で、吸引開口部６０の前部における吸引力を増大させ、そのため、収集を改善させる。
【００４９】
第３に、ノズル５１の幅は、ノズル５１の後部５６から前部５５に向けて漸減する。これは、図３から図８のノズル１１の高さを漸減すること、すなわち、ノズル５１内のキャビティ６１の容積がノズル５１の後部５６から前部５５に向けて減少すること、と同じ利点を有する。したがって、より大きい開口容積を吸引開口部６０の後部においてノズル５１内に形成し、より小さい開口容積を吸引開口部６０の前部に形成する。これにより、吸引力は、吸引開口部６０の長さに沿ってより釣り合いが取れる。その結果、より軟らかく細い毛７１を吸引開口部６０の後部で使用しつつ、吸引開口部６０の前部における収集性能を改善する。ノズル５１の高さではなくむしろ幅を漸減することは、用具５０に関して比較的薄型を達成するというさらなる利点を有する。特に、用具の高さを比較的低く維持し、キャビティ６１の容積における必要な変化をノズル５１の幅を変更することによって達成する。その結果、用具５０を使用して、比較的高さが低い空間の下で清掃する。
【００５０】
図３から図８の用具１０と同様に、支持体７０は、所定量だけ吸引開口部６０を超えて突出し、この所定量は、（例えば用具５０を前方に掃いている間に）毛組立体５３を後方へ掃いたときに支持体７０がノズル５１の後縁部６３と接触することを確実にする。上述のように、これにより、毛組立体５３とノズル５１の後縁部６３との間に良好なシールを形成することを確実にする。吸引開口部６０の幅は、ノズル５１の後部５６から前部５５に向けて漸減する。したがって、支持体７０が支持体７０の全長に沿って後縁部６３と接触するために、支持体７０が開口部６０を超えて突出する量は、同様に、後部から前部に向けて漸減する。しかしながら、毛７１は、漸減しておらず、その替わりに、長さが一定である。これは、より長い毛を吸引開口部６０の後部で採用するという利点を有する。さらに、長さが一定の毛は、毛組立体５３を後方へ掃いて支持体７０が後縁部６３と接触するときに、毛７１が後縁部６３の長さに沿って一定である量だけ後縁部６３を超えて延在することを確実にする。これにより、ノズル５１の長さに沿ってより均一な収集をもたらすという利点を有する。支持体７０の高さが漸減するが毛７１の長さが一定であるので、毛組立体５３は、吸引開口部６０の後部から前部に向けて漸減する所定量だけ吸引開口部６０を超えて突出する。これは、毛組立体１３が吸引開口部２０の長さに沿って同じ量だけ突出する図３から図８の用具１０とは対照的である。
【００５１】
図３から図８の用具１０において、間隙は、毛組立体１３の直上に、すなわち背部３２とノズル１１の頂部１９との間に、形成される。これは、場合によっては、図６から図８で最もよくわかる。場合によっては、ノズル１１に引き込まれた毛玉及び他のゴミは、この間隙内で引っ掛かり始めることがある。一方、図９から図１４の用具５０において、毛組立体５３は、ノズル５１の頂部５９に取り付けられている。したがって、毛玉及び他のゴミは、毛組立体５３とノズル５１の頂部５９との間に引っかかり始めることが防止される。
【００５２】
用具５０を清掃面４０にわたって前方に向けて掃くと、毛組立体５３は、後方へ掃かれてノズル５１の後縁部６３に接触する。そして、毛組立体５３と後縁部６３との間には、シールが形成される。キャビティ６１内で生じた吸引力は、毛組立体５３の後縁側に部分的な真空を形成する。吸引開口部６０が主として環境に向けて開口しているので、毛組立体５３の前縁側における圧力は、一般的により高い。支持体７０に貫通孔７８、７９がないと、毛組立体５３の２つの側における圧力差は、非常に大きく、毛組立体５３は、後縁部６３に当接して貼り付けられる。その結果、進行方向を反対にするために用具５０を清掃面４０から持ち上げると、毛組立体５３は、吸引開口部６０の中心に復帰し損ねる。支持体７０にある貫通孔７８、７９は、これが発生することを防止する。貫通孔７８、７９は、毛組立体５３の前縁側及び後縁側の間に経路を形成する。このため、貫通孔７８、７９は、毛組立体５３の２つの側部における圧力をより良好に均一にする機能を果たす。貫通孔は、完全に均一にする必要はない。しかしながら、貫通孔７８、７９は、圧力差が過剰でないことを確実にする。その結果、用具５０を清掃面４０から持ち上げると、支持体７０の弾性は、圧力差を克服して毛組立体５３を吸引開口部６０の中心に復帰させるのに十分である。
【００５３】
支持体７０にあるいずれの貫通孔も毛玉または他のゴミに対する捕捉部を示す。貫通孔が小さすぎると、貫通孔は、完全に閉塞され始める。より大きい貫通孔は、本来、貫通孔を閉塞する可能性を低減する。しかしながら、貫通孔の数が増えると、支持体７０の挙動に対する孔の影響は、増大する。特に、過剰な数の孔または過剰に大きい孔は、支持体７０を望まない態様で曲げさせる。したがって、貫通孔７８、７９の位置、数及びサイズは、毛組立体５３がノズル５１の後縁部６３に当接して貼りつくことを防止しつつ、支持体７０の挙動に悪影響を与えないことを確実にするように選択される。
【００５４】
貫通孔７８、７９は、支持体７０のうちノズル５１の後部５６に近接する領域に形成されている。接続導管５２がノズル５１の後部５６に位置しているので、ノズル５１内の吸引力は、一般的に、ノズル５１の後部５６において最大になる。したがって、毛組立体５３の前縁側及び後縁側の間の圧力差は、ノズル５１の後部５６において最大になりやすい。貫通孔７８、７９を支持体７０のうちノズル５１の後部５６に近接する領域に配置することによって、貫通孔の数を最小で維持しつつ、圧力の適切な均一化を達成することを確実にする。
【００５５】
支持体７０にある貫通孔７８、７９は、異なるサイズである。特に、ノズル５１の後部５６に最も近い貫通孔７８は、より大きい。両貫通孔７８、７９は、孔７８、７９を閉塞されないようにすることを意図したサイズである。貫通孔７８、７９を異なるサイズとすることによって、より大きい孔７８は、支持体７０のうち毛組立体５３の前縁側及び後縁側の間の圧力差が最大となりそうである後部に向けて使用されている。支持体７０にさらに沿う圧力差が小さくなりそうであるので、より小さい孔７９を使用してもよい。その結果、貫通孔７８、７９が有する支持体７０の挙動への影響を最小で維持しつつ、圧力の適切な均一化を達成することを確実にする。
【００５６】
図１５から図２１は、さらなる真空掃除機用具１００を示す。上述しかつ図３から図１４に示した用具１０及び５０と同様に、用具１００は、ノズル１０１、接続導管１０２及び毛組立体１０３を備える。
【００５７】
ノズル１０１は、形状が細長く、ノズル１０１の長さは、高さ及び幅よりも大きい。ノズル１０１の横断面形状は、円扇形のようであり、ノズル１０１の側部１０７、１０８は、２つの半径を形成し、ノズル１０１の基部１０６は、扇形の円弧を形成する。図３から図１４に示す用具１０、５０において、ノズルの高さまたは幅は、ノズルの後部から前部に向けて漸減する。対照的に、図１５から図２１に示す用具１００において、ノズル１０１では、高さ及び幅が漸減しない。ノズル１０１の頂部１０５は、後述のように毛組立体１０３を保持する機能を果たすシリンダ状背部を有する。
【００５８】
ノズル１０１は、主吸引開口部１１５及び副吸引開口部１１６を備え、各開口部は、ノズル１０１内の内部キャビティ１１７内へ開口する。主吸引開口部１１５は、ノズル１０１の基部１０６に形成されており、ノズル１０１の前部１０９から後部１１０に向けて延在しかつ直線状の側縁部を有する細長い楕円形のようである。ノズル１０１の基部１０６が弓状であるので、吸引開口部１１５の側縁部１１８、１１９は、ノズル１０１の前部１０９及び後部１１０に対して上昇している。したがって、図３から図１４に示す用具１０、５０と同様に、ノズル１０１の基部１０６を清掃面４０と接触させると、前縁部１１８と清掃面４０との間には、間隙１６０が形成される。房状布地で形成された保護パッド１２０は、ノズル１０１の基部１０６に固定されており、主吸引開口部１１５を囲む。副吸引開口部１１６は、ノズル１０１の前部１０９に形成された切欠部を備える。後述のように、副吸引開口部１１６は、用具１００を壁に沿って側方へ引きずるにしたがって、壁などの縁部に沿ってゴミを収集することを補助する。
【００５９】
上述しかつ図３から図１４に示す用具１０、５０と同様に、接続導管１０２は、ノズル１０１の後部１１０に取り付けられており、キャビティ１１７と、ひいてはノズル１０１の吸引開口部１１５、１１６と流体連通する。同様に、接続導管１０２は、真空掃除機（図示略）のホース、ワンドなどに接続されることを意図している。
【００６０】
毛組立体１０３は、一片の毛１３１が取り付けられる支持体１３０を備える。
【００６１】
支持体１３０は、硬質材料で形成されており、基盤部１３５と、基盤部１３５から上方に延在する２つの支柱部１３６、１３７と、２つの支柱部１３６、１３７間に延在する梁部１３８と、片持ち腕部１３９と、一対の脚部１４０、１４１と、を備える。
【００６２】
基盤部１３５は、中央チャネル１４５の両側に沿って延在する一対の翼部１４６、１４７を備える。下方から見ると、基盤部１３５の形状は、主吸引開口部１１５と酷似しており、このため、細長い楕円形のようである。翼部１４６、１４７それぞれは、直線状の側縁部と、湾曲した前縁部及び後縁部と、を有する。側縁部は、翼部１４６、１４７の先端とされる。翼部１４６、１４７は、中央チャネル１４５から先端まで上方に湾曲する。その結果、基盤部１３５の基部は、湾曲される。さらに、基盤部１３５の基部の湾曲は、ノズル１０１の基部１０６の湾曲と酷似する。翼部１４６、１４７それぞれは、翼部１４６、１４７の先端から上方に延在する小翼部１４８を有する。同様に房状布地で形成された保護パッド１４９は、翼部１４６、１４７それぞれの長さに沿って固定されている。
【００６３】
２つの支柱部１３６、１３７は、基盤部１３５の頂部から上方に延在する。より具体的には、第１支柱部１３６は、基盤部１３５の前端部から上方に延在し、第２支柱部１３７は、所定点から基盤部１３５の長さに沿う途中まで上方に延在する。
【００６４】
梁部１３８は、２つの支柱部１３６、１３７の頂部間に延在する。
【００６５】
片持ち腕部１３９は、第２支柱部１３７の孔部から延在するＬ字状腕部である。あるいは、片持ち腕部１３９は、基盤部１３５の頂部から上方に延在する直線状腕部であってもよい。
【００６６】
第１脚部１４０は、第１支柱部１３６から外側に延在し、第２脚部１４１は、片持ち腕部１３９から外側に延在する。第１脚部１４０は、形状がシリンダ状である一方、第２脚部１４１は、切頂筒、すなわち、所定平面によって切断された筒のようである。
【００６７】
上述のように、ノズル１０１は、ノズル１０１の頂部１０５に沿って延在する背部１１１である。そして、支持体１３０の頂部は、この背部１１１内で保持される。背部１１１は、チャネルと、チャネルの各端部に位置する保持凹所と、を備える。支持体１３０の２つの脚部１４０、１４１は、凹所内で保持される一方、支持体１３０の梁部１３８は、チャネルに沿って延在する。組立中に、第１脚部１４０は、背部１１１の前端部において凹所内へ挿入される。そして、支持体１３０の後部は、上方へ押し上げられ、第２脚部１４１をノズル１０１と接触させる。第２脚部１４１は、傾斜面を有する。その結果、支持体１３０を上方に押し続けると、片持ち腕部１３９は、ノズル１０１の前部１０９に向かう方向で回動させられる。十分な力により、片持ち腕部１３９は、回動し、第２脚部１４１が背部１１１の後端部において凹所内にスナップ係合することを可能とする。
【００６８】
支持体１３０をノズル１０１内で保持すると、基盤部１３５は、主吸引開口部１１５の大部分を被覆するように機能する。その結果、主吸引開口部１１５は、基盤部１３５の周りを延在する楕円トラックのようである。脚部１４０、１４１は、凹所内で保持され、それにより、支持体１３０、ひいては毛組立体１０３は、ノズル１０１に対して回動自在となる。支持体１３０が回動するにしたがって、基盤部１３５は、ノズル１０１の側縁部１１８、１１９に接触する。その結果、支持体１３０の回動運動は、比較的制限される。
【００６９】
一片の毛１３１は、背部１５１によって共に保持される一列の毛１５０を備え、この背部は、毛１５０の頂部に沿って延在する。毛１５０は、カーボン繊維で形成されており、毛１５０の頂部に背部１５１をオーバーモールドすることによって共に保持されている。一片の毛１３１は、支持体１３０のチャネル１４５内で保持されている。毛１５０は、ノズル１０１の基部１０６にある主吸引開口部１１５を通って下方へ突出する。チャネル１４５は、支持体１３０の前部において上方に上昇する。その結果、毛１５０は、ノズル１０１の前部１０９にある副吸引開口部１１６を通ってさらに突出する。
【００７０】
図１５から図２１の用具１００は、上述しかつ図３から図１４に示す用具１０、５０とまさに同様の方法で使用されることを意図している。特に、用具１００は、主吸引開口部１１５に垂直な方向で清掃面４０にわたって掃かれることを意図している。用具１００を前方に吐くと、毛組立体１０３は、後方へ回動する。後方へ回動すると、支持体１３０の翼部１４６は、ノズル１０１の後縁部１１９に接触し、それにより、後縁部１１９に沿ってシールを形成する。その結果、主吸引開口部１１５は、毛組立体１０３の基盤部１３５とノズル１０１の前縁部１１８との間で初期的に位置する。
【００７１】
用具１００を清掃面４０にわたって掃くと、ノズル１０１の基部１０６は、前部１０９及び後部１１０において清掃面４０に接触する。ノズル１０１の前縁部１１８及び後縁部１１９を前端部１１２及び後端部１１３に対して上昇させているので、前縁部１１８と清掃面４０との間には、間隙１６０が形成され、このため、ゴミが前縁部１１８の下方を自由に通ることを確実にする。他の用具１０、５０と同様に、用具１００と清掃面４０との間に形成された角度は、主として、用具１００を清掃面４０にわたって掃くにしたがって変化する。ノズル１０１の基部１０６が湾曲しているので、ノズル１０１のうち清掃面４０に接触する前端部１１２及び後端部１１３は、湾曲している。その結果、用具１００の角度が変化すると、前端部１１２及び後端部１１３は、清掃面４０にわたって揺動し、そのため、平滑な移行を提供する。ノズル１０１の基部１０６に固定された保護パッド１２０は、図９から図１４の用具５０と共に先に詳述したものと同じ利点を提供する、すなわち、用具１００は、清掃面４０にわたってより滑らかに掃かれ、用具１００は、清掃面４０に跡をより付けにくい。同様に、図９から図１４の用具５０と共に上述したように、保護パッド１２０を房状布地で形成しているが、例えばフェルト布地、低摩擦被覆を有する弾性発泡体または一片の非常に短く細い毛など、他の材料を代替的に使用してもよい。
【００７２】
支持体１３０をノズル１０１内で保持し、それにより、基盤部１３５をノズル１０１の基部１０６に対して若干上昇させる。その結果、用具１００を平らな面で使用すると、基盤部１３５は、通常、清掃面と接触しない。しかしながら、用具１００を平らで内面で使用する場合、または、用具１００の前端部１１２または後端部１１３を清掃面で押す場合、基盤部１３５は、清掃面と接触する。基盤部１３５の基部は、ノズル１０１の湾曲のような湾曲に酷似する。その結果、基盤部１３５が清掃面４０と接触する場合、用具１００を清掃面４０にわたって揺動させることが継続して可能である。基盤部１３５に固定された保護パッド１４９は、ノズル１０１に固定された保護パッドと同じ利点を提供する。
【００７３】
用具１００の毛１５０は、比較的短い。実際に、毛１５０のうち基盤部１３５を超えて突出する部分は、翼部１４６、１４７それぞれの幅より大きくない長さを有する。すなわち、毛１５０は、翼部１４６、１４７それぞれの幅よりも小さい有効長さ（すなわち、支持体１３０を超えて突出する長さ）を有する。その結果、毛１５０は、主吸引開口部１１５を介してノズル１０１内へ引き込まれることが不可能である。
【００７４】
主吸引開口部１１５を通して空気を引き込むと、小翼部１４８は、気流をまっすぐにすることを補助し、このため、乱気流を低減する。その結果、用具１００を通って気流を引き込むにしたがって、気流によって発生するノイズが小さくなる。
【００７５】
図１５から図２１の用具１００は、図３から図１４に示す他の２つの用具１０、５０に対して複数の利点を有する。用具１００は、主吸引開口部１１５の前部において改善した吸引力を有する。ノズルの高さまたは幅を漸減させたにもかかわらず、図３から図１４の用具１、５０は、吸引開口部の前部において吸引力が比較的乏しい。図３から図１４の用具１、５０と比較して、図１５から図２１の用具１００は、小さい吸引開口部１１５を有している、すなわち、吸引開口部１１５の表面積は、小さい。その結果、吸引開口部１１５の周りの吸引力をより釣り合わせ、このため、吸引開口部１１５の前方における吸引力を増大する。しかしながら、吸引開口部のサイズを単に低減しても、必ずしも、吸引開口部の前部における吸引力を改善する結果とはならない。例えば、より小さい吸引開口部２０を実現するために、図３から図８に示す用具１０のノズル１１の幅を低減することは可能である。しかしながら、より狭いノズル１１は、ノズル１１と接続導管１２との間の連結部において収縮を形成する。その結果、用具１０を通した空気の流れを収縮し、このため、吸引開口部２０の前部における吸引力は、実際には、改善するよりはむしろ劣化する。図１５から図２１の用具１００によって、比較的小さい吸引開口部１１５を実現する一方で、比較的幅広で背の高いノズル１０１を維持している。これは、支持体１３０のうち主吸引開口部１１５の大部分を被覆する基盤部１３５によって実現される。その結果、ノズル１０１における収縮を回避し、吸引開口部１１５の前部における吸引力を改善する。
【００７６】
図１５から図２１の用具１００は、ノズル１０１の前部において補助吸引開口部１１６を有する。これは、清掃面４０の縁部に沿ったゴミの収集を改善する利点を有する。例えば、用具１００を壁などに当接させて上方へ使用すると、ユーザは、用具１００の前部１０９を壁に当接させ、壁に平行な方向で横向きに用具１００を掃くことができる。清掃面と壁との間の縁部に収集したゴミは、補助吸引開口部１１６を介してノズル１０１内へ引き込まれる。
【００７７】
一片の毛１３１は、支持体１３０に固定されており、それにより、毛１５０は、補助吸引開口部１１６を通ってかつ補助吸引開口部１１６を超えて延在する。これは、２つの利点を有する。第１に、一片の毛１３１の長さひいては範囲を増大させる。第２に、縁や隅により良好に進入することを可能とする。あるいは、ノズル１０１の後部１１０に補助吸引開口部を形成し、毛１５０が追加の開口部を通ってかつ追加の開口部を超えて延在するように一片の毛１３１を支持体１３０に固定することは可能である。これにより、一片の毛１３１の長さをさらに延長させる。しかしながら、ノズル１０１の後部１１０にある切欠は、補助吸引開口部１１６における及び主吸引開口部１１５における吸引力に悪影響を及ぼしやすい。
【００７８】
図９から図１４の用具５０と同様に、毛組立体１０３は、ノズル１０１の頂部１０５に取り付けられている。支持体１３０は、貫通孔１４２を備え、それにより、毛組立体１０３の２つの側部における圧力を均等にする。しかしながら、２つの比較的小さい貫通孔７８、７９を有する図９から図１４の用具５０とは異なり、支持体１３０にある貫通孔１４２は、基盤部１３５、２つの支柱部１３６、１３７及び梁部１３８によって区画されており、比較的大きい。支持体１３０が硬質材料で形成されているので、比較的大きい貫通孔１４２を有することが可能となる。大型の貫通孔１４２は、少なくとも２つの利点を有する。第１に、圧力を均等にすることを改善し、したがって、毛組立体１０３がノズルの後縁部１１９に対してくっつく可能性を著しく低減する。第２に、ゴミが貫通孔１４２を塞ぐ可能性を低減する。実際に、図１５から図２１の用具１００において、貫通孔１４２の高さは、主吸引開口部１１５の幅よりも大きい。その結果、主吸引開口部１１５を通して引き込まれるゴミが貫通孔１４２に引っ掛かり始めることが不可能である。
【００７９】
上述した実施形態において、支持体１３０は、２つの支柱部１３６、１３７間に延在する梁部１３８を備える。しかしながら、梁部１３８は、提供する技術的な利点が小さく、削除されてもよい。したがって、広い意味において、図９から図２１の用具５０、１００は、ノズル５１、１０１の頂部５９、１０９に取り付けられた支持体７０、１３０と、支持体７０、１３０を通ってまたは支持体７０、１３０にわたって延在する経路７８、７９、１４２と、を備えると言える。経路７８、７９、１４２は、毛組立体５３、１０３の前縁側及び後縁側間で延在し、それにより、毛組立体５３、１０３の２つの側における圧力をより良好に均等にする。
【符号の説明】
【００８０】
１０，５０，１００  用具，真空掃除機用具、１１，５１，１０１  ノズル、１３，５３，１０３  毛組立体、２０，６０  吸引開口部，開口部、２２，６２，１１８  前縁部，縁部（第１縁部）、２３，６３，１１９  後縁部，縁部（第２縁部）、３０，７０，１３０  支持体、３１，７１，１３１，１５０  毛、４０  清掃面、６８，１２０，１４９  保護パッド，パッド、１１５  主吸引開口部，吸引開口部、１１６  副吸引開口部，吸引開口部、１４６，１４７  翼部、１４８  小翼部
【図１】
0006048764.tif 000002
【図２】
0006048764.tif 000003
【図３】
0006048764.tif 000004
【図４】
0006048764.tif 000005
【図５】
0006048764.tif 000006
【図６】
0006048764.tif 000007
【図７】
0006048764.tif 000008
【図８】
0006048764.tif 000009
【図９】
0006048764.tif 000010
【図１０】
0006048764.tif 000011
【図１１】
0006048764.tif 000012
【図１２】
0006048764.tif 000013
【図１３】
0006048764.tif 000014
【図１４】
0006048764.tif 000015
【図１５】
0006048764.tif 000016
【図１６】
0006048764.tif 000017
【図１７】
0006048764.tif 000018
【図１８】
0006048764.tif 000019
【図１９】
0006048764.tif 000020
【図２０】
0006048764.tif 000021
【図２１】
0006048764.tif 000022